【手続補正書】
【提出日】平成19年8月14日(2007.8.14)
【手続補正１】
【補正対象書類名】明細書
【補正対象項目名】発明の名称
【補正方法】変更
【補正の内容】
【発明の名称】ゲーム販売装置、ゲーム販売方法
【手続補正２】
【補正対象書類名】明細書
【補正対象項目名】特許請求の範囲
【補正方法】変更
【補正の内容】
【特許請求の範囲】
【請求項１】  ゲームソフトを備えたサーバにより構成され、インターネットを介してユーザ端末と通信してゲームソフトを販売する装置であって、
ゲームソフト選択欄を備えた画面構成データをユーザ端末に送信するゲームソフト選択画面送信手段と、
前記ユーザ端末から、前記ゲームソフト選択欄で選択されたゲームソフトを示す選択データを受信するゲームソフト選択受信手段と、
前記受信した選択データが示すゲームソフトの、使用条件が規定された試用版ゲームソフトを、ユーザ端末に送信する試用版ゲームソフト送信手段と、
前記ユーザ端末から前記試用版ゲームソフトがプレイされたことにより算出された採点結果を受信する採点結果受信手段と、
前記採点結果に基づいて前記ゲームソフトの販売価格を決定する販売価格決定手段と、
前記決定した販売価格が記載され購入要求欄を備えた画面構成データを前記ユーザ端末に送信する販売価格通知手段と、
ユーザ端末から、前記購入要求欄への操作に応じた前記ゲームソフトの購入要求を受信する購入要求受信手段と、
前記購入要求手段によって前記購入要求を受信した場合、所定の決済システムに対して課金処理を行うことで前記ゲームソフトの前記ユーザへの販売に係る決済を完了させる課金処理手段とを備えたこと、
を特徴とするゲーム販売装置。
【請求項２】  前記課金処理手段によって決済が完了した場合、前記試用版ゲームソフトに組み込まれることで、前記試用版ゲームソフトを前記ゲームソフトの本編として動作可能とさせる追加データを、前記ユーザ端末に送信して前記試用版ゲームソフトに組み込ませる追加データ送信手段を備えたことを特徴とする請求項１に記載のゲーム販売装置。
【請求項３】 前記ゲームソフト選択受信手段が前記選択データを受信するとともに、前記ユーザ端末から当該ユーザのメールアドレスを受信するメールアドレス受信手段と、
前記試用版ゲームソフト送信手段が前記試用版ゲームソフトを送信するとともに、前記メールアドレス宛に、ユーザＩＤを記載した電子メールを送信するユーザＩＤ通知手段と、
ユーザ端末から入力された前記ユーザＩＤを受信することで、前記試用版ゲームソフトのユーザ端末上での動作を可能とさせるゲームソフト動作可能化手段と、
前記課金手段によって決済が完了した場合、前記ゲームソフトの本編をユーザ端末に送信する本編ゲームソフト送信手段と
を備えたことを特徴とする請求項１に記載のゲーム販売装置。
【請求項４】  前記試用版ゲームソフトは、当該試用版ゲームソフトが動作可能状態にある複数の前記ユーザ端末との間でインターネットを介して対戦プレイが可能であることを特徴とする請求項１〜３いずれかに記載のゲーム販売装置。
【請求項５】  前記販売価格決定手段は、前記複数のユーザ端末間の対戦プレイによる勝敗結果をさらに加味して、販売価格を決定することを特徴とする請求項４に記載のゲーム販売装置。
【請求項６】  ゲームソフトを備えたサーバにより、インターネットを介してユーザ端末と通信してゲームソフトを販売する方法であって、前記サーバーが、
ゲームソフト選択欄を備えた画面構成データをユーザ端末に送信するステップと、
前記ユーザ端末から、前記ゲームソフト選択欄で選択されたゲームソフトを示す選択データを受信するステップと、
前記選択されたゲームソフトの、使用条件が規定された試用版ゲームソフトを、ユーザ端末に送信するステップと、
前記ユーザ端末から前記試用版ゲームソフトがプレイされたことにより算出された採点結果を受信するステップと、
前記採点結果に基づいて前記ゲームソフトの販売価格を決定するステップと、
前記決定した販売価格が記載され購入要求欄を備えた画面構成データを前記ユーザ端末に送信するステップと、
ユーザ端末から、前記購入要求欄への操作に応じた前記ゲームソフトの購入要求を受信するステップと、
前記購入要求手段によって前記購入要求を受信した場合、所定の決済システムに対して課金処理を行うことで前記ゲームソフトの前記ユーザへの販売に係る決済を完了させるステップと、
を実行することを特徴とするゲーム販売方法。
【手続補正３】
【補正対象書類名】明細書
【補正対象項目名】０００１
【補正方法】変更
【補正の内容】
【０００１】
【発明の属する技術分野】
この発明は、ゲームの購入を検討している顧客にゲームソフトの試用版を試行させて、その試行結果に基づいてゲームソフトの販売価格を決定するというゲーム販売装置およびゲーム販売方法に関する。
【手続補正４】
【補正対象書類名】明細書
【補正対象項目名】０００７
【補正方法】変更
【補正の内容】
【０００７】
【課題を解決するための手段】
本発明は、ゲームソフトを備えたサーバにより構成されゲームソフトを備え、インターネットを介してユーザ端末と通信してゲームソフトを販売する装置であって、
ゲームソフト選択欄を備えた画面構成データをユーザ端末に送信するゲームソフト選択画面送信手段と、
前記ユーザ端末から、前記ゲームソフト選択欄で選択されたを介したゲームソフトを示す選択データ選択を受信する、ゲームソフト選択受信手段と、
前記受信した選択データが示す選択されたゲームソフトの、使用条件が規定動作が限定された試用版ゲームソフトを、ユーザ端末に送信する試用版ゲームソフト送信手段と、
前記ユーザ端末から前記試用版ゲームソフトがプレイされたことにより算出された採点結果を受信する採点結果受信手段と、
前記採点結果に基づいて前記ゲームソフトの販売価格を決定する販売価格決定手段と、
前記決定した販売価格が記載され購入要求欄を備えた画面構成データを前記ユーザ端末に送信する販売価格通知手段と、
ユーザ端末から、前記購入要求欄への操作に応じたを介した前記ゲームソフトの購入要求を受信する購入要求受信手段と、
前記購入要求手段によって前記購入要求を受信した場合、所定の決済システムに対して課金処理を行うことで前記ゲームソフトの前記ユーザへの販売に係る決済を完了させる課金処理手段とを備えたこと、
を特徴とする。
【手続補正５】
【補正対象書類名】明細書
【補正対象項目名】０００８
【補正方法】変更
【補正の内容】
【０００８】
本発明において、前記課金処理手段によって決済が完了した場合、前記試用版ゲームソフトに組み込まれることで、前記試用版ゲームソフトを前記ゲームソフトの本編として動作可能とさせる追加データを、前記ユーザ端末に送信して前記試用版ゲームソフトに組み込ませる追加データ送信手段を備えてもよい。
【手続補正６】
【補正対象書類名】明細書
【補正対象項目名】０００９
【補正方法】変更
【補正の内容】
【０００９】
また、前記ゲームソフト選択受信手段が前記選択データを受信するとともに、前記ユーザ端末から当該ユーザのメールアドレスを受信するメールアドレス受信手段と、前記試用版ゲームソフト送信手段が前記試用版ゲームソフトを送信するとともに、前記メールアドレス宛に、ユーザＩＤを記載した電子メールを送信するユーザＩＤ通知手段と、ユーザ端末から入力された前記ユーザＩＤを受信することで、前記試用版ゲームソフトのユーザ端末上での動作を可能とさせるゲームソフト動作可能化手段と、前記課金手段によって決済が完了した場合、前記ゲームソフトの本編をユーザ端末に送信する本編ゲームソフト送信手段とを備えてもよい。
【手続補正７】
【補正対象書類名】明細書
【補正対象項目名】００１０
【補正方法】変更
【補正の内容】
【００１０】
また、前記試用版ゲームソフトは、当該試用版ゲームソフトが動作可能状態にある複数の前記ユーザ端末との間でインターネットを介して対戦プレイが可能でってもよい。
さらに、前記販売価格決定手段は、前記複数のユーザ端末間の対戦プレイによる勝敗結果をさらに加味して、販売価格を決定することとしてもよい。